(57)【要約】【課題】狭額縁化が可能な表示装置および撮像装置を提供する。【解決手段】表示ユニットと、前記表示ユニットを収容する保持部材と、前記表示ユニットと前記保持部材との間に設けられた取付部材とを有し、前記取付部材は、前記表示ユニットの側面に対向する枠部と、前記枠部に設けられ、前記保持部材に固定される第１取付部と、前記枠部に設けられ、弾性により前記枠部と前記保持部材との間に保持される第２取付部とを備えた表示装置。【選択図】図７
2014006345.tif 000002
【特許請求の範囲】
【請求項１】
表示ユニットと、前記表示ユニットを収容する保持部材と、前記表示ユニットと前記保持部材との間に設けられた取付部材とを有し、
前記取付部材は、
前記表示ユニットの側面に対向する枠部と、
前記枠部に設けられ、前記保持部材に固定される第１取付部と、
前記枠部に設けられ、弾性により前記枠部と前記保持部材との間に保持される第２取付部と
を備えた表示装置。
【請求項２】
前記枠部は、前記表示ユニットの側面を囲む窓枠形状を有する
請求項１記載の表示装置。
【請求項３】
前記取付部材は、一方向に長い矩形の平面形状を有し、
前記第１取付部は、前記取付部材の長辺に設けられている
請求項１記載の表示装置。
【請求項４】
前記第２取付部は、前記取付部材の対向する二辺に設けられている
請求項１記載の表示装置。
【請求項５】
前記保持部材は、前記第１取付部および前記第２取付部を受容する凹部を有する
請求項１記載の表示装置。
【請求項６】
前記第１取付部は、前記枠部の幅方向一端から外方に張り出す爪であり、
前記凹部は、前記爪を当接させる当接部を有する
請求項５記載の表示装置。
【請求項７】
前記凹部は、前記枠部の幅方向他端を受ける座部を有する
請求項６記載の表示装置。
【請求項８】
前記枠部は、前記第１取付部と前記当接部とが接触すると共に、前記枠部の幅方向他端と前記座部とが接触することにより、前記凹部に嵌合する
請求項７記載の表示装置。
【請求項９】
前記第２取付部は、前記枠部の一部を外方に傾斜または湾曲させた板ばねであり、
前記凹部は、前記板ばねを掛止させる掛止部を有する
請求項５記載の表示装置。
【請求項１０】
前記取付部材は、一方向に長い矩形の平面形状を有し、
前記第１取付部は、前記取付部材の短辺に設けられている
請求項１記載の表示装置。
【請求項１１】
前記取付部材は、前記枠部と、前記表示ユニットの裏面を覆う底面部とを有し、
前記底面部には、前記表示ユニットの裏面が貼着されている
請求項１記載の表示装置。
【請求項１２】
前記取付部材は、フレキシブル配線基板を通す開口を有する
請求項１１記載の表示装置。
【請求項１３】
前記表示ユニットは、表示体と、前記表示体の画像表示面側に設けられた前面板とを有し、
前記保持部材は、前記前面板の端部を受ける段部を有する
請求項１記載の表示装置。
【請求項１４】
撮像光学系および撮像素子と、前記撮像光学系により結像された被写体像または前記撮像素子により撮像された画像を表示する表示装置とを備え、
前記表示装置は、表示ユニットと、前記表示ユニットを収容する保持部材と、前記表示ユニットと前記保持部材との間に設けられた取付部材とを有し、
前記取付部材は、
前記表示ユニットの側面に対向する枠部と、
前記枠部に設けられ、前記保持部材に固定される第１取付部と、
前記枠部に設けられ、弾性により前記枠部と前記保持部材との間に保持される第２取付部と
を備えた撮像装置。
【発明の詳細な説明】
【技術分野】
【０００１】
本開示は、液晶や有機ＥＬ（Electroluminescence）等の表示ユニットを保持部材（筐体、キャビネット）に収容した表示装置、およびこの表示装置を備えた撮像装置に関する。
【背景技術】
【０００２】
カメラ，テレビジョン受像機，ＰＣ（Personal Computer）等には、液晶や有機ＥＬ等を用いた表示ユニットが搭載されている。例えば特許文献１では、表示ユニットとライトガイドユニットとの間に骨格平板状部材を挟んで部材積層構造体を構成し、この部材積層構造体の側縁をゴム等の屈曲容易なフレームで包み込むことにより、部材積層構造体を一体にモジュール化している。
【先行技術文献】
【特許文献】
【０００３】
【特許文献１】特開２００７−３６９３号公報
【発明の概要】
【発明が解決しようとする課題】
【０００４】
しかしながら、特許文献１では、骨格平板状部材の端部を表示ユニットの周囲に水平方向に張り出させて、この張り出した端部をフレーム内側の溝に嵌め込むようにしていた。そのため、骨格平板状部材の嵌め込み深さ（溝の深さ）のぶんだけ額縁領域の幅を広くとらなければならないという問題があった。
【０００５】
本開示の目的は、狭額縁化が可能な表示装置、およびこの表示装置を備えた撮像装置を提供することにある。
【課題を解決するための手段】
【０００６】
本開示による表示装置は、表示ユニットと、表示ユニットを収容する保持部材と、表示ユニットと保持部材との間に設けられた取付部材とを有し、取付部材は、以下の（Ａ）〜（Ｃ）の構成要素を備えたものである。
（Ａ）表示ユニットの側面に対向する枠部
（Ｂ）枠部に設けられ、保持部材に固定される第１取付部
（Ｃ）枠部に設けられ、弾性により枠部と保持部材との間に保持される第２取付部
【０００７】
本開示の表示装置では、表示ユニットと、表示ユニットを収容する保持部材との間に、取付部材が設けられている。取付部材は、表示ユニットの側面に対向する枠部を有し、この枠部に、第１取付部および第２取付部が設けられている。第１取付部は、保持部材に固定されている。第２取付部は、弾性により枠部と保持部材との間に保持されている。ここでは、取付部材の枠部が表示ユニットの側面に対向して設けられているので、従来のように骨格平板状部材の端部を表示ユニットの周囲に水平方向に張り出させる場合に比べて、額縁領域における取付部材の占有幅が狭くなる。
【０００８】
本開示による撮像装置は、撮像光学系および撮像素子と、撮像光学系により結像された被写体像または撮像素子により撮像された画像を表示する表示装置とを備え、表示装置は、上記本開示の表示装置により構成されたものである。
【０００９】
本開示の撮像装置では、撮像光学系により結像された被写体像または撮像素子により撮像された画像が、表示装置により表示される。
【発明の効果】
【００１０】
本開示の表示装置によれば、取付部材の枠部を、表示ユニットの側面に対向して設けると共に、この枠部に、保持部材に固定される第１取付部と、弾性により枠部と保持部材との間に保持される第２取付部とを設けるようにしたので、狭額縁化が可能となる。よって、この表示装置を用いて撮像装置を構成すれば、携帯性を有しながら大画面化が可能となる。
【図面の簡単な説明】
【００１１】
【図１】本開示の第１の実施の形態に係る撮像装置の、開閉パネルを閉じた状態の外観を表す斜視図である。
【図２】図１に示した撮像装置の、開閉パネルを開けた状態の外観を表す斜視図である。
【図３】図１に示した撮像装置を、異なる方向から見た外観を表す斜視図である。
【図４】図１に示した撮像装置の回路構成を表すブロック図である。
【図５】図３に示した表示ユニットをキャビネットから取り外した状態を表す斜視図である。
【図６】図５に示した表示ユニットを分解して、取付部材と共に表す斜視図である。
【図７】図６に示した取付部材の全体構成を表す斜視図である。
【図８】図７に示した第１取付部を拡大して表す斜視図である。
【図９】図７に示した長辺の第２取付部を拡大して表す斜視図である。
【図１０】図７に示した短辺の第２取付部を拡大して表す斜視図である。
【図１１】図８に示した第１取付部における、枠部のキャビネットへの嵌合状態を表す断面図である。
【図１２】図８に示した第１取付部の近傍における、枠部のキャビネットへの嵌合状態を表す断面図である。
【図１３】図９に示した第２取付部における、枠部のキャビネットへの取付状態を表す断面図である。
【図１４】図９に示した第２取付部の近傍における、枠部のキャビネットへの取付状態を表す断面図である。
【図１５】図１０に示した第２取付部における、枠部のキャビネットへの取付状態を表す断面図である。
【図１６】図５に示した表示装置の製造方法を工程順に表す斜視図である。
【図１７】図１６に続く工程を表す斜視図である。
【図１８】図１７に続く工程を表す斜視図である。
【図１９】図５に示した表示装置における額縁領域の幅を説明するための断面図である。
【図２０】従来の表示装置における額縁領域の幅を説明するための断面図である。
【図２１】本開示の第２の実施の形態に係る表示装置の、表示ユニットおよび取付部材を分解して表す斜視図である。
【図２２】図２１に示した取付部材の全体構成を表す斜視図である。
【図２３】図２２に示した第１取付部を拡大して表す斜視図である。
【図２４】図２２に示した長辺の第２取付部を拡大して表す斜視図である。
【図２５】図２２に示した短辺の第２取付部を拡大して表す斜視図である。
【図２６】図２３に示した第１取付部における、枠部の保持部材への嵌合状態を表す断面図である。
【図２７】図２３に示した第１取付部の近傍における、枠部の保持部材への取付状態を表す断面図である。
【図２８】図２４に示した第２取付部における、枠部の保持部材への取付状態を表す断面図である。
【図２９】図２４に示した第２取付部の近傍における、枠部の保持部材への取付状態を表す断面図である。
【図３０】図２５に示した第２取付部における、枠部の保持部材への取付状態を表す断面図である。
【図３１】変形例１に係る取付部材の全体構成を表す斜視図である。
【図３２】変形例２に係る取付部材の全体構成を表す斜視図である。
【発明を実施するための形態】
【００１２】
以下、本開示の実施の形態について図面を参照して詳細に説明する。
１．第１の実施の形態（取付部材が、底面部と枠部とからなる盆（トレイ）形状をなす例）
２．第２の実施の形態（取付部材が、枠部のみの窓枠形状をなす例）
３．変形例１（第１の実施の形態において、第１取付部を長辺に設けた例）
４．変形例２（第２の実施の形態において、第１取付部を長辺に設けた例）
【００１３】
（第１の実施の形態）
図１は、本開示の第１の実施の形態に係る撮像装置（デジタルスチルカメラ）を被写体側から見た外観を表したものである。この撮像装置１は、例えば、本体部２の前面に、上下方向へスライド可能な開閉パネル３を有している。本体部２の上面には、操作部４が配置されている。操作部４は、例えば、電源の投入を行うための電源釦、撮影時に操作されるシャッター釦、ズーミングを行うためのズーム摘子を含む。
【００１４】
以下の説明および図面では、この撮像装置１による撮影時において撮影者から見た方向で前後（Ｚ）、上下（Ｙ）および左右（Ｘ）の方向を示すものとする。従って、被写体側が前方となり、撮影者側が後方となる。なお、前後（Ｚ）、上下（Ｙ）および左右（Ｘ）の方向は説明の便宜上のものであり、本開示の実施に関しては、これらの方向に限定されることはない。
【００１５】
本体部２は、例えば、フロントパネル２Ａと、中間フレーム２Ｂと、キャビネット２Ｃとを有している。フロントパネル２Ａ，中間フレーム２Ｂおよびキャビネット２Ｃは、前後方向Ｚにおいて順に結合されている。
【００１６】
図２は、開閉パネル３を開けた状態を表したものである。本体部２の前面の上端部には、撮影時において補助光を照射するフラッシュ５と、被写体像を結像するための撮影レンズ６とが、左右に並んで配置されている。撮影レンズ６の後方における本体部２内部には、撮像光学系（図２には図示せず、図４参照。）として、レンズまたはレンズ群（図示せず）が光軸に沿って配置されている。
【００１７】
フラッシュ５および撮影レンズ６は、開閉パネル３の上下方向へのスライドによって開閉されるようになっている。開閉パネル３が下方へ移動されてフラッシュ５と撮影レンズ６が開放されることにより被写体の撮影が可能な状態となる。開閉パネル３が上方へ移動されてフラッシュ５と撮影レンズ６が閉塞されることにより被写体の撮影が不能な状態となる。
【００１８】
図３は、この撮像装置１を、撮影者側から見た外観を表したものである。本体部２の背面には、表示装置７が設けられている。表示装置７は、撮像光学系により結像された被写体像または撮像素子により撮像された画像を表示するものである。また、表示装置７は、このほかに、ユーザーの操作部４に対する操作状態、本体部２の内蔵メモリや外部メモリに記憶された各種データなどを表示する。表示装置７は、例えば、キャビネット２Ｃに、液晶または有機ＥＬなどの表示ユニット１０を収容した構成を有している。
【００１９】
図４は、撮像装置１の回路構成の一例を表したものである。撮像装置１は、例えば、撮像機能を担うカメラブロック２０と、カメラ信号処理部２１と、画像処理部２２と、表示装置７と、Ｒ／Ｗ（リーダ／ライタ）２３と、ＣＰＵ（CentralProcessingUnit）２４と、入力部２５と、レンズ駆動制御部２６とを有している。
【００２０】
カメラブロック２０は、例えば、レンズ群（図示せず）などを含む撮像光学系２７と、ＣＣＤ（ChargeCoupledDevice）またはＣＭＯＳ（ComplementaryMetal-OxideSemiconductor）センサ等（いずれも図示せず）の撮像素子２８とを有している。
【００２１】
カメラ信号処理部２１は、例えば、撮像素子２８からの出力信号に対するアナログ−デジタル変換、ノイズ除去、画質補正、輝度・色差信号への変換等の各種の信号処理を行うものである。
【００２２】
画像処理部２２は、所定の画像データフォーマットに基づく画像信号の圧縮符号化・伸張復号化処理や解像度等のデータ仕様の変換処理等を行うものである。
【００２３】
Ｒ／Ｗ２３は、画像処理部２２によって符号化された画像データのメモリーカード２３Ａへの書込及びメモリーカード２３Ａに記録された画像データの読出を行うものである。メモリーカード２３Ａは、例えば、Ｒ／Ｗ２３に接続されたスロットに対して着脱可能な半導体メモリである。
【００２４】
ＣＰＵ２４は、撮像装置１の全体を制御する制御処理部としての機能を有するものであり、入力部２５からの指示入力信号等に基づいて各回路ブロックを制御する。
【００２５】
入力部２５は、ユーザーによる操作部４の操作に応じた指示入力信号をＣＰＵ２４に対して出力するものである。
【００２６】
レンズ駆動制御部２６は、ＣＰＵ２４からの制御信号に基づいて、撮像光学系２７の各レンズを駆動するモータ（図示せず）等を制御するものである。
【００２７】
次に、この撮像装置１の動作について、図４に基づいて説明する。
【００２８】
撮影の待機状態では、ＣＰＵ２４による制御の下で、カメラブロック２０において撮影された画像信号が、カメラ信号処理部２１を介して表示装置７に出力され、カメラスルー画像として表示される。また、入力部２５からのズーミングのための指示入力信号が入力されると、ＣＰＵ２４がレンズ駆動制御部２６に制御信号を出力し、レンズ駆動制御部２６の制御に基づいて撮像光学系２７の所定のレンズが移動される。
【００２９】
入力部２５からの指示入力信号によりカメラブロック２０の図示しないシャッターが動作されると、撮影された画像信号がカメラ信号処理部２１から画像処理部２２に出力されて圧縮符号化処理され、所定のデータフォーマットのデジタルデータに変換される。変換されたデータはＲ／Ｗ２３に出力され、メモリーカード２３Ａに書き込まれる。
【００３０】
なお、フォーカシングは、例えば、入力部２５のシャッター釦が半押しされた場合や記録（撮影）のために全押しされた場合等に、ＣＰＵ２４からの制御信号に基づいてレンズ駆動制御部２６が撮像光学系２７の所定のレンズを移動させることにより行われる。
【００３１】
メモリーカード２３Ａに記録された画像データを再生する場合には、入力部２５に対する操作に応じて、Ｒ／Ｗ２３によってメモリーカード２３Ａから所定の画像データが読み出され、画像処理部２２によって伸張復号化処理が行われた後に、再生画像信号が表示装置７に出力されて再生画像が表示される。
【００３２】
以下、図３に示した表示装置７について詳細に説明する。表示装置７は、上述したように、キャビネット２Ｃに、液晶または有機ＥＬなどの表示ユニット１０を収容した構成を有している。ここで、キャビネット２Ｃは、本開示における「保持部材」の一具体例に対応する。
【００３３】
図５は、この表示ユニット１０をキャビネット２Ｃから取り外した状態を表したものである。表示ユニット１０は、図５に示したように取付部材３０に装着された状態で、キャビネット２Ｃに収容される。取付部材３０は、表示ユニット１０とキャビネット２Ｃとの間に介在し、表示ユニット１０をキャビネット２Ｃ内の所定の位置に保持するブラケットとしての機能を有するものである。取付部材３０の詳細については後述する。
【００３４】
図６は、図５に示した表示ユニット１０を分解して、取付部材３０と共に表したものである。表示ユニット１０は、例えば、Ｚ方向前方から後方に向かって、前面板（トッププレート）１１、タッチパネル１２、接着層１３、表示体１４をこの順に有している。表示ユニット１０の後方（具体的には、表示体１４の後方）には、上述した取付部材３０が設けられている。
【００３５】
前面板１１は、表示体１４やタッチパネル１２の強度向上、表面保護および意匠性向上などのために設けられるものであり、例えば、ガラス，強化ガラス，樹脂などの透明板により構成されている。前面板１１を構成する樹脂としては、アクリル、ポリカーボネートまたはポリエチレンテレフタレート（ＰＥＴ）等が挙げられる。
【００３６】
この前面板１１は、例えば、透明部１１Ａおよび不透光部１１Ｂを有している。透明部１１Ａは、前面板１１の中央領域に、表示体１４の表示領域に対向して設けられ、前面板１１の透明板それ自体により構成されている。不透光部１１Ｂは、表示体１４の周辺領域およびタッチパネル１２の周辺領域における配線や回路等を遮蔽し、表示ユニット１０の体裁を整える、いわゆる額縁領域としての機能を有するものである。不透光部１１Ｂは、前面板１１の周辺領域に配置され、例えば、前面板１１の透明板の裏面に金属，顔料，染料などの不透明材料よりなる不透光層（図６には図示せず、図１９参照。）が設けられた構成を有している。なお、不透光層は前面板１１の表面に設けられていてもよい。
【００３７】
タッチパネル１２は、例えば静電容量式タッチセンサが搭載された入力装置である。タッチパネル１２の有効検知領域は、表示体１４の有効表示領域とほぼ一致している。タッチパネル１２の検知面（入力面）は、例えば、透明糊よりなる接着層（図示せず）により、前面板１１に貼り合わせられている。タッチパネル１２の裏面は、例えば、ゲルシートよりなる接着層１３により、表示体１４の表面（画像表示面）側に貼り合わせられている。
【００３８】
接着層１３は、タッチパネル１２および表示体１４の間に全面にわたって設けられていることが望ましい。通常、厚めの構造物は、弾力性のあるゲル系接着剤で貼り合わせられ、空気の内在を防ぐ、いわゆるエアギャップレス構造をとる。エアギャップレス構造は、表示体１４の表面から前面板１１の表面（映像表示面）までの間で内面反射が起こりにくく、見やすい映像を提供できるという利点がある。タッチパネル１２と前面板１１とを貼り合わせる透明糊よりなる接着層（図示せず）についても、接着層１３と同様に、タッチパネル１２と前面板１１との間に全面にわたって設けられていることが望ましい。
【００３９】
表示体１４は、例えば、ガラス等よりなる二枚の基板の間に液晶層を有する液晶表示パネルを含んで構成されている。一方の基板には、各画素を駆動するＴＦＴ（Thin Film Transistor；薄膜トランジスタ）および画素電極が配設されると共に、各画素に映像信号等を供給するための駆動回路等が設けられている。他方の基板には、例えば透明電極が設けられると共に、３原色（Ｒ，Ｇ，Ｂ）の各カラーフィルタが、画素毎に形成されている。液晶層の周辺はシール材により封止されている。表示体１４の表面には、表示体１４よりもわずかに小さい寸法の矩形の偏光板（図示せず）が設けられており、表示体１４の裏面にも同様の偏光板（図示せず）が設けられている。表示体１４の近傍には、図示しないが、ＬＥＤ（Light Emitting Diode）等よりなる光源、導光板、光学機能シートおよび放熱部材等を含むバックライトユニットが配置されている。なお、表示体１４は、上記のような液晶表示パネルに限らず、例えば有機ＥＬパネルにより構成されていてもよい。
【００４０】
取付部材３０は、例えば、表示ユニット１０の裏面（具体的には、表示部１４の裏面）を覆う底面部３１と、この底面部３１の四辺に起立した側面部３２とを有する、盆（トレイ）の形状をなしている。取付部材３０のＸＹ平面形状は、例えば、表示ユニット１０と同じく一方向（Ｘ方向）に長い矩形である。
【００４１】
底面部３１は、表示ユニット１０の裏面と同形の平板状の部材である。底面部３１には、表示ユニット１０の裏面（具体的には、表示体１４の裏面）が、両面接着テープ等の接着層１５により貼着されている。接着層１５は、表示体１４が底面部３１から固定される程度に設けられていればよく、必ずしも表示体１４の裏面の全面にわたって設けられている必要はない。例えば、接着層１５は、表示体１４のフレキシブル配線基板が接続されている一辺を除いた三辺に沿って設けられている。
【００４２】
枠部３２は、例えば、底面部３１の端縁から表示ユニット１０の側面に沿って垂直に起立する立ち壁形状を有し、表示ユニット１０の側面に対向している。枠部３２は、底面部３１の端縁の全周にわたって、表示ユニット１０の側面を囲むように設けられている。
【００４３】
このような取付部材３０は、例えば、ステンレス鋼等の板金により構成されていることが好ましい。補強や静電気対策に有利となると共に薄型化も可能となるからである。なお、取付部材３０の厚み制限に余裕がある場合には、取付部材３０は、樹脂により構成することも可能である。その場合には、枠部３２と底面部３１とを樹脂の一体成形により形成することが可能となる。
【００４４】
図７は、図６に示した取付部材３０を拡大して、その全体構成を表したものである。枠部３２の一方の短辺３０Ａには第１取付部３３が設けられ、対向する二本の長辺３０Ｂ，３０Ｄには第２取付部３４が設けられ、他方の短辺３０Ｃには第２取付部３５が設けられている。第１取付部３３は、キャビネット２Ｃに固定されている。第２取付部３４，３５は、弾性により枠部３２とキャビネット２Ｃとの間に保持されている。これにより、この表示装置７では、狭額縁化が可能となっている。
【００４５】
第１取付部３３は、例えば、短辺３０Ａの両端部に設けられていることが望ましい。これにより、後述する組立工程（図１６参照。）においてＸＹ平面内での回転を抑えることが可能となる。また、第１取付部３３は、短辺３０Ａの両端から等距離に同形状で（取付部材３０のＹ方向中心線Ｌ１に関して線対称に）配置されていることが望ましい。
【００４６】
第１取付部３３は、具体的には、図８に拡大して示したように、枠部３２の幅方向一端（上端）３２Ａから外方に張り出す爪である。第１取付部３３は、例えば、枠部３２に対して垂直に屈曲している。
【００４７】
なお、枠部３２の第１取付部３３が設けられている部分は、本体部２（キャビネット２Ｃ）への取り付け時の弾性変形を吸収するため、溝３３Ａにより他の部分とは分離されている。
【００４８】
第２取付部３４は、例えば、長辺３０Ｂ，３０Ｄの短辺３０Ｃ側の端部に設けられていることが望ましい。また、第２取付部３４は、長辺３０Ｂ，３０Ｄの対向位置に同形状で（取付部材３０のＹ方向中心線Ｌ１に関して線対称に）配置されていることが望ましい。
【００４９】
第２取付部３５は、例えば、短辺３０Ｃのほぼ全体における枠部３２の上部に設けられている。
【００５０】
第２取付部３４は、具体的には、図９に拡大して示したように、枠部３２の一部を外方に傾斜させた板ばねである。第２取付部３５は、具体的には、図１０に拡大して示したように、枠部３２の一部を外方に傾斜および湾曲させた板ばねである。このように第２取付部３４，３５を板ばねとすることにより、部品の公差による寸法ばらつきを吸収することが可能となる。
【００５１】
なお、枠部３２の第２取付部３４が設けられている部分は、本体部２（キャビネット２Ｃ）への取り付け時の弾性変形を吸収するため、溝３４Ａにより他の部分とは分離されている。同様に、枠部３２の第２取付部３５が設けられている部分は、本体部２（キャビネット２Ｃ）への取り付け時の部品の公差による寸法ばらつきを吸収するため、溝３５Ａにより他の部分とは分離されている。
【００５２】
更に、短辺３０Ｃには、開口３６が設けられている。開口３６は、表示ユニット１０に接続されたフレキシブル配線基板（図示せず）を通すためのものであり、短辺３０Ｃにおける枠部３２の下部およびこれに隣接する底面部３１の端部をくり抜いたものである。
【００５３】
図１１は、第１取付部３３における、枠部３２のキャビネット２Ｃへの嵌合状態を表したものである。キャビネット２Ｃは、例えば、底面部４１および側面部４２を有している。底面部４１は、取付部材３０の底面部３１に対向している。側面部４２は、底面部４１から表示ユニット１０の側面および取付部材３０の枠部３２に沿って起立する立ち壁形状を有している。
【００５４】
側面部４２には、キャビネット２Ｃの内側に向かって張り出すフランジ４３が設けられている。フランジ４３の上側の段部４４には、表示ユニット１０の前面板１１が緩やかに嵌り込んでいる。一方、フランジ４３の下側には、枠部３２を受容する凹部４５が設けられている。フランジ４３，段部４４および凹部４５は、キャビネット２Ｃの内側面の全周にわたって連続して設けられているが、その断面形状は、取付部材３０の枠部３２の形状（具体的には、第１取付部３３および第２取付部３４，３５）に応じて、側面部４２上の場所により異なっている。
【００５５】
取付部材３０の短辺３０Ａでは、凹部４５の上面（フランジ４３の下面）に、第１取付部３３の爪を当接させる当接部４５Ａが設けられている。当接部４５Ａと第１取付部３３とを接触させることにより、取付部材３０の上方（矢印Ａ１）への動きを規制することが可能となる。
【００５６】
当接部４５Ａは、例えば、第１取付部３３と面接触可能な平坦面である。当接部４５Ａの入口には、第１取付部３３の嵌め込みガイドとして、傾斜部４５Ｂが設けられていることが望ましい。
【００５７】
凹部４５の下面には、枠部３２の幅方向他端（下端）３２Ｂを受ける座部４５Ｃが設けられている。座部４５Ｃと枠部３２の下端３２Ｂとを接触させることにより、取付部材３０の下方（矢印Ａ２）への動きを規制することが可能となる。従って、前面板１１は、フランジ４３の上側の段部４４に緩やかに嵌り込んでいるだけでよく、フランジ４３等に接触させる必要はない。
【００５８】
当接部４５Ａと座部４５Ｃとの間の距離Ｄ１は、枠部３２の高さ（第１取付部３３と下端３２Ｂとの間の距離）に合わせられていることが好ましい。これにより、枠部３２は、第１取付部３３と当接部４５Ａとが接触すると共に、枠部３２の下端３２Ｂと座部４５Ｃとが接触することにより、凹部４５に嵌合する。よって、取付部材３０および表示ユニット１０のＺ方向のがたつきを抑えることが可能となる。
【００５９】
なお、図１１ないし図１５には、表示体１４の詳細な構成の一例として、例えば、液晶表示パネル１６と、バックライトユニット１７とを表している。液晶表示パネル１６は、例えば、一対の基板１６Ａ，１６Ｂの間に液晶層（図示せず）を有している。基板１６Ａ，１６Ｂには、それぞれ偏光板１６Ｃ，１６Ｄが貼り合わせられている。バックライトユニット１７は、例えば、光学シート１７Ａ，導光板１７Ｂ，反射シート１７Ｃ，光源（図示せず），これらを保持する枠部品１７Ｄ，固定用の部材１７Ｅを有している。枠部品１７Ｄには、液晶表示パネル１６の基板１６Ｂが接着層１７Ｆにより固定されている。
【００６０】
図１２は、第１取付部３３の近傍における、枠部３２のキャビネット２Ｃへの嵌合状態を表したものである。短辺３０Ａの第１取付部３３以外の部分では、枠部３２の上端３２Ａが、当接部４５Ａに当接していてもよい。当接部４５Ａの入口には、枠部３２の上端３２Ａの嵌め込みガイドとして、傾斜部４５Ｂが設けられていてもよい。枠部３２の下端３２Ｂは、座部４５Ｃに接触していてもよい。
【００６１】
当接部４５Ａと座部４５Ｃとの間の距離Ｄ１は、第１取付部３３で説明したのと同様に、枠部３２の高さ（枠部３２の上端３２Ａと下端３２Ｂとの間の距離）に合わせられていてもよい。
【００６２】
図１３は、第２取付部３４における、枠部３２のキャビネット２Ｃへの取付状態を表したものである。取付部材３０の長辺３０Ｂ，３０Ｄでは、凹部４５の上面に、第２取付部３４の板ばねを掛止させる掛止部４５Ｄが設けられている。掛止部４５Ｄと第２取付部３４とを接触させることにより、取付部材３０の上方（矢印Ａ１）およびＸＹ面内方向（矢印Ａ３）への動きを規制することが可能となる。
【００６３】
掛止部４５Ｄは、第２取付部３４の嵌め込みガイドとして、傾斜面とされていることが望ましい。
【００６４】
凹部４５の下面には、枠部３２の下端３２Ｂを受ける座部４５Ｃが設けられている。座部４５Ｃと枠部３２の下端３２Ｂとを接触させることにより、取付部材３０の下方（矢印Ａ２）への動きを規制することが可能となる。従って、前面板１１は、フランジ４３の上側の段部４４に緩やかに嵌り込んでいるだけでよく、フランジ４３等に接触させる必要はない。
【００６５】
図１４は、第２取付部３４の近傍における、枠部３２のキャビネット２Ｃへの取付状態を表したものである。長辺３０Ｂ，３０Ｄの第２取付部３４以外の部分では、枠部３２の上端３２Ａは、どこにも接触せず、開放されている。これにより、枠部３２に、静電気を抑えるシールドケースとしての効果を持たせることが可能となる。枠部３２の下端３２Ｂは、座部４５Ｃに当接していてもよい。
【００６６】
図１５は、第２取付部３５における、枠部３２のキャビネット２Ｃへの取付状態を表したものである。取付部材３０の短辺３０Ｃでは、凹部４５の上面に、第２取付部３５の板ばねを掛止させる掛止部４５Ｄが設けられている。掛止部４５Ｄと第２取付部３５とを接触させることにより、取付部材３０の上方（矢印Ａ１）およびＸＹ面内方向（矢印Ａ３）への動きを規制することが可能となる。開口３６には、フレキシブル配線基板１８が通されている。
【００６７】
短辺３０Ｃでは、段部４４が前面板１１の端部を受けていることが好ましい。段部４４と前面板１１の端部とを接触させることにより、取付部材３０および表示ユニット１０の下方（矢印Ａ２）への動きを規制することが可能となる。なお、前面板１１は、段部４４に載せているだけで下方への動きを十分に抑制することが可能であり、必ずしも接着等の固定を行う必要はない。
【００６８】
この表示装置７は、例えば、次のようにして製造することができる。
【００６９】
図１６ないし図１８は、この表示装置７の製造方法（組立方法）を工程順に表したものである。まず、図６に示したように、前面板１１，タッチパネル１２，接着層１３および表示体１４を貼り合わせて表示ユニット１０を形成する。次いで、この表示ユニット１０の裏面（具体的には表示体１４の裏面）を、接着層１５を用いて取付部材３０の底面部３１に貼り付けることにより、図５に示したように表示ユニット１０を取付部材３０に装着して一体化する。
【００７０】
続いて、図１６に示したように、取付部材３０の短辺３０Ａ（第１取付部３３が設けられた辺）をキャビネット２Ｃに斜め上方から差し込み（矢印Ａ４）、第１取付部３３の爪を、入口の傾斜部４５Ｂをガイドとして、凹部４５に引っ掛ける。
【００７１】
そののち、図１７に示したように、取付部材３０の短辺３０Ｃを下降させる（矢印Ａ５）。このとき、第２取付部３４，３５は枠部３２から外側に傾斜または湾曲しているので、キャビネット２Ｃの開口で引っ掛かり、それ以上の進入を阻まれる。
【００７２】
続いて、図１８に示したように、取付部材３０の短辺３０Ｃを下方に押し込むと（矢印Ａ６）、第２取付部３４，３５の板ばねの弾性により、第２取付部３４，３５がフランジ４３を乗り越えて、凹部４５に嵌り込む（スナップフィット方式）。これにより、図１３に示したように、長辺３０Ｂ，３０Ｄの第２取付部３４が掛止部４５Ｄに掛止されると共に、枠部３２の下端３２Ｂが座部４５Ｃに接触する。また、図１５に示したように、短辺３０Ｃの第２取付部３５が掛止部４５Ｄに掛止されると共に、前面板１１の端部が段部４４に接触する。同時に、図１１に示したように、第１取付部３３が当接部４５Ａに当接すると共に、枠部３２の下端３２Ｂが座部４５Ｃに接触し、短辺３０Ａの枠部３２が凹部４５に嵌合する。
【００７３】
このようにして、第１取付部３３がキャビネット２Ｃに固定され、第２取付部３４，３５が弾性により枠部３２とキャビネット２Ｃとの間に保持される。以上により、表示ユニット１０は取付部材３０によりキャビネット２Ｃ内の所定の位置に保持・収容され、表示装置７が完成する。
【００７４】
この表示装置７では、表示体１４において、バックライトユニット１７からの光が液晶表示パネル１６に入射し、映像電圧に基づいて画素毎に変調されつつ液晶層（図示せず）を透過する（液晶表示パネルの場合）。あるいは、表示体１４において、有機ＥＬパネル（図示せず）から光が発生する。この光は、タッチパネル１２および前面板１１を通過し、表示装置７の外部へ取り出され、画像として観察される。このようにして画像表示動作がなされる。また、タッチパネル１２では、例えば前面板１１へ指等の接触（あるいは近接）があった場合に、それが容量変化に基づいて検知され、情報入力動作がなされる。
【００７５】
ここでは、表示ユニット１０とキャビネット２Ｃとの間に、取付部材３０が設けられている。この取付部材３０は、表示ユニット１０の側面に対向する枠部３２を有し、この枠部３２に、第１取付部３３および第２取付部３４，３５が設けられている。第１取付部３３は、キャビネット２Ｃに固定されている。第２取付部３４，３５は、弾性により枠部３２とキャビネット２Ｃとの間に保持されている。取付部材３０の枠部３２が表示ユニット１０の側面に対向して設けられているので、従来のように骨格平板状部材の端部を表示ユニットの周囲に水平方向に張り出させる場合に比べて、額縁領域における取付部材３０の占有幅が狭くなる。よって、額縁領域の幅が狭くなる。
【００７６】
図１９は、この表示装置７における額縁領域の幅を説明するためのものである。この表示装置７では、上述したように、不透光部１１Ｂとして、前面板１１の周辺領域の裏面に、金属，顔料，染料などの不透明材料よりなる不透光層１１Ｃが設けられている。不透光層１１Ｃの幅Ｗ１と、キャビネット２Ｃの幅との合計幅Ｗ２が、額縁領域の幅となる。
【００７７】
従来では、例えば図２０に示したように、キャビネット１０２Ｃのフランジ１４３の上面に、両面接着テープなどの接着層１１５を用いて前面板１１１を貼り付けるようにしていた。そのため、不透光層１１１Ｃの幅Ｗ１０１は、接着層１１５および表示ユニット１１０の端部を遮蔽可能な程度に広くすることが必要であり、その結果、額縁領域の幅Ｗ１０２が広くなってしまっていた。なお、図２０では、本実施の形態に対応する構成要素には１００番台の同一の符号を付している。
【００７８】
これに対して本実施の形態では、図１９に示したように、不透光層１１Ｃの幅Ｗ１は、取付部材３０の枠部３２および表示ユニット１０の端部を遮蔽可能であれば足りる。よって、額縁領域の幅Ｗ２を極めて狭くすることが可能となる。
【００７９】
このように本実施の形態では、取付部材３０の枠部３２を、表示ユニット１０の側面に対向して設けると共に、この枠部３２に、キャビネット２Ｃに固定される第１取付部３３と、弾性により枠部３２とキャビネット２Ｃとの間に保持される第２取付部３４，３５とを設けるようにしたので、狭額縁化が可能となる。これにより、表示ユニット１０の画面の大きさは変えずに、表示装置７全体をより小型化することが可能となる。よって、この表示装置７を用いて撮像装置１を構成すれば、携帯性を有しながら大画面化が可能となる。
【００８０】
（第２の実施の形態）
図２１は、本開示の第２の実施の形態に係る表示装置７の表示ユニット１０を分解して、取付部材３０と共に表したものである。本実施の形態は、取付部材３０を枠部３２のみとし、底面部３１を削除することにより、狭額縁化・小型化に加えて、更に薄型化を進めるようにしたものである。このことを除いては、本実施の形態の表示装置７は、上記第１の実施の形態と同様の構成を有している。よって、対応する構成要素には同一の符号を付して説明する。
【００８１】
キャビネット２Ｃは、第１の実施の形態と同様に、底面部４１，側面部４２，フランジ４３，段部４４および凹部４５を有している。底面部４１ないし凹部４５は、第１の実施の形態と同様に構成されている。
【００８２】
表示ユニット１０は、第１の実施の形態と同様に、Ｚ方向前方から後方に向かって、前面板１１，タッチパネル１２，接着層１３および表示体１４をこの順に有している。前面板１１ないし表示体１４は、第１の実施の形態と同様に構成されている。表示ユニット１０の後方（具体的には、表示体１４の後方）には、取付部材３０が設けられている。
【００８３】
取付部材３０は、例えば、表示ユニット１０の側面に対向する枠部３２を有し、底面部３１を有していない。すなわち、取付部材３０は、表示ユニット１０の側面を囲む窓枠形状をなしており、表示ユニット１０の画像表示面および裏面は開放されている。これにより、本実施の形態では、底面部３１および接着層１５のぶんの厚みを減らし、表示装置７を更に薄型化することが可能となっている。
【００８４】
なお、表示ユニット１０は、両面接着テープや接着剤（いずれも図示せず）などを用いて、取付部材３０の枠部３２の内側に固定することが可能である。
【００８５】
取付部材３０は、第１の実施の形態と同様に、例えば、ステンレス鋼等の板金により構成されていることが好ましい。補強や静電気対策に有利となると共に薄型化も可能となるからである。なお、取付部材３０の厚み制限に余裕がある場合には、取付部材３０は、樹脂により構成することも可能である。
【００８６】
図２２は、図２１に示した取付部材３０を拡大して、その全体構成を表したものである。枠部３２の一方の短辺３０Ａには第１取付部３３が設けられ、対向する二本の長辺３０Ｂ，３０Ｄには第２取付部３４が設けられ、他方の短辺３０Ｃには第２取付部３５が設けられている。第１取付部３３は、キャビネット２Ｃに固定されている。第２取付部３４，３５は、弾性により枠部３２とキャビネット２Ｃとの間に保持されている。これにより、この表示装置７では、狭額縁化が可能となっている。
【００８７】
第１取付部３３は、例えば、短辺３０Ａの両端部に設けられていることが望ましい。これにより、組立工程（図１６参照。）においてＸＹ平面内での回転を抑えることが可能となる。また、第１取付部３３は、短辺３０Ａの両端から等距離に同形状で（取付部材３０のＹ方向中心線Ｌ１に関して線対称に）配置されていることが望ましい。
【００８８】
第１取付部３３は、具体的には、図２３に拡大して示したように、枠部３２の幅方向一端（上端）３２Ａから外方に張り出す爪である。第１取付部３３は、例えば、枠部３２に対して垂直に屈曲している。
【００８９】
第２取付部３４は、例えば、長辺３０Ｂ，３０Ｄの短辺３０Ｃ側の端部に設けられていることが望ましい。また、第２取付部３４は、長辺３０Ｂ，３０Ｄの対向位置に同形状で（取付部材３０のＹ方向中心線Ｌ１に関して線対称に）配置されていることが望ましい。
【００９０】
第２取付部３５は、例えば、短辺３０Ｃのほぼ全体に設けられている。
【００９１】
第２取付部３４，３５は、具体的には、図２４および図２５に拡大して示したように、枠部３２の一部を外方に傾斜および湾曲させた板ばねである。このように第２取付部３４，３５を板ばねとすることにより、部品の公差による寸法ばらつきを吸収することが可能となる。
【００９２】
第２取付部３４は、図２４に示したように、中央部に突起３４Ｂを有していることが好ましい。突起３４Ｂの押し当て位置を一定にすることが可能となるからである。
【００９３】
図２６は、第１取付部３３における、枠部３２のキャビネット２Ｃへの嵌合状態を表したものである。取付部材３０の短辺３０Ａでは、凹部４５の上面（フランジ４３の下面）に、第１取付部３３の爪を当接させる当接部４５Ａが設けられている。当接部４５Ａと第１取付部３３とを接触させることにより、取付部材３０の上方（矢印Ａ１）への動きを規制することが可能となる。
【００９４】
当接部４５Ａは、例えば、第１取付部３３と面接触可能な平坦面である。当接部４５Ａの入口には、第１取付部３３の嵌め込みガイドとして、傾斜部４５Ｂが設けられていることが望ましい。
【００９５】
凹部４５の下面には、枠部３２の幅方向他端（下端）３２Ｂを受ける座部４５Ｃが設けられている。座部４５Ｃと枠部３２の下端３２Ｂとを接触させることにより、取付部材３０の下方（矢印Ａ２）への動きを規制することが可能となる。従って、前面板１１は、フランジ４３の上側の段部４４に緩やかに嵌り込んでいるだけでよく、フランジ４３等に接触させる必要はない。
【００９６】
当接部４５Ａと座部４５Ｃとの間の距離Ｄ１は、枠部３２の高さ（第１取付部３３と下端３２Ｂとの間の距離）に合わせられていることが好ましい。これにより、枠部３２は、第１取付部３３と当接部４５Ａとが接触すると共に、枠部３２の下端３２Ｂと座部４５Ｃとが接触することにより、凹部４５に嵌合する。よって、取付部材３０および表示ユニット１０のＺ方向のがたつきを抑えることが可能となる。
【００９７】
図２７は、第１取付部３３の近傍における、枠部３２のキャビネット２Ｃへの嵌合状態を表したものである。短辺３０Ａの第１取付部３３以外の部分では、枠部３２の上端３２Ａが、当接部４５Ａに当接していてもよい。当接部４５Ａの入口には、枠部３２の上端３２Ａの嵌め込みガイドとして、傾斜部４５Ｂが設けられていてもよい。枠部３２の下端３２Ｂは、座部４５Ｃに接触していてもよい。
【００９８】
当接部４５Ａと座部４５Ｃとの間の距離Ｄ１は、第１取付部３３で説明したのと同様に、枠部３２の高さ（枠部３２の上端３２Ａと下端３２Ｂとの間の距離）に合わせられていてもよい。
【００９９】
図２８は、第２取付部３４における、枠部３２のキャビネット２Ｃへの取付状態を表したものである。取付部材３０の長辺３０Ｂ，３０Ｄでは、凹部４５の上面に、第２取付部３４の板ばねを掛止させる掛止部４５Ｄが設けられている。掛止部４５Ｄと第２取付部３４とを接触させることにより、取付部材３０の上方（矢印Ａ１）およびＸＹ面内方向（矢印Ａ３）への動きを規制することが可能となる。
【０１００】
掛止部４５Ｄは、第２取付部３４の嵌め込みガイドとして、傾斜面とされていることが望ましい。
【０１０１】
凹部４５の下面には、枠部３２の下端３２Ｂを受ける座部４５Ｃが設けられている。座部４５Ｃと枠部３２の下端３２Ｂとを接触させることにより、取付部材３０の下方（矢印Ａ２）への動きを規制することが可能となる。従って、前面板１１は、フランジ４３の上側の段部４４に緩やかに嵌り込んでいるだけでよく、フランジ４３等に接触させる必要はない。
【０１０２】
図２９は、第２取付部３４の近傍における、枠部３２のキャビネット２Ｃへの取付状態を表したものである。長辺３０Ｂ，３０Ｄの第２取付部３４以外の部分では、枠部３２の上端３２Ａは、どこにも接触せず、解放されている。これにより、枠部３２に、静電気を抑えるシールドケースとしての効果を持たせることが可能となる。枠部３２の下端３２Ｂは、座部４５Ｃに当接していてもよい。
【０１０３】
図３０は、第２取付部３５における、枠部３２のキャビネット２Ｃへの取付状態を表したものである。取付部材３０の短辺３０Ｃでは、凹部４５の上面に、第２取付部３５の板ばねを掛止させる掛止部４５Ｄが設けられている。掛止部４５Ｄと第２取付部３５とを接触させることにより、取付部材３０の上方（矢印Ａ１）およびＸＹ面内方向（矢印Ａ３）への動きを規制することが可能となる。
【０１０４】
短辺３０Ｃでは、段部４４が前面板１１の端部を受けていることが好ましい。段部４４と前面板１１の端部とを接触させることにより、取付部材３０および表示ユニット１０の下方（矢印Ａ２）への動きを規制することが可能となる。なお、前面板１１は、段部４４に載せているだけで下方への動きを十分に抑制することが可能であり、必ずしも接着等の固定を行う必要はない。
【０１０５】
この表示装置７の製造方法（組立方法）および作用については、例えば、第１の実施の形態と同様である。
【０１０６】
このように本実施の形態では、取付部材３０を、表示ユニット１０の側面を囲む窓枠形状としたので、第１の実施の形態の効果である狭額縁化・小型化に加えて、底面部３１および接着層１５のぶんの厚みを減らし、表示装置７を薄型化することが可能となる。よって、この表示装置７を用いて撮像装置１を構成すれば、第１の実施の形態の効果である高い携帯性および大画面化に加えて、薄型化が可能となる。
【０１０７】
（変形例１）
図３１は、本開示の変形例１に係る取付部材３０の全体構成を表したものである。この取付部材３０は、第１取付部３３を長辺３０Ｄに設けることにより、組立工程（図１６参照。）におけるＸＹ平面内での回転を抑えるようにしたものである。このことを除いては、この取付部材３０の構成、作用および効果は、第１の実施の形態と同様である。
【０１０８】
第１取付部３３は、第１の実施の形態と同様に、例えば、長辺３０Ｄの両端部に設けられていることが望ましい。これにより、組立工程（図１６参照。）においてＸＹ平面内での回転をより確実に抑えることが可能となる。また、第１取付部３３は、長辺３０Ｄの両端から等距離に同形状で（取付部材３０のＸ方向中心線Ｌ２に関して線対称に）配置されていることが望ましい。
【０１０９】
（変形例２）
図３２は、本開示の変形例２に係る取付部材３０の全体構成を表したものである。この取付部材３０は、第２の実施の形態において、変形例１と同様に第１取付部３３を長辺３０Ｄに設けることにより、組立工程（図１６参照。）におけるＸＹ平面内での回転を抑えるようにしたものである。このことを除いては、この取付部材３０の構成、作用および効果は、第２の実施の形態と同様である。
【０１１０】
なお、上記変形例１，２では、第１取付部３３を長辺３０Ｄに設け、第２取付部３４，３５を短辺３０Ａ，３０Ｃに設ける場合について説明したが、第１取付部３３を長辺３０Ｄに設け、第２取付部３４，３５を対向する長辺３０Ｂに設けることも可能である。
【０１１１】
以上、実施の形態を挙げて本開示を説明したが、本開示は上記実施の形態に限定されるものではなく、種々の変形が可能である。例えば、上記第１および第２の実施の形態では、取付部材３０の長辺３０Ｂ，３０Ｄに第２取付部３４を設けると共に、短辺３０Ｃに第２取付部３５を設ける場合について説明したが、短辺３０Ｃの第２取付部３５は省略することも可能である。
【０１１２】
また、例えば、上記第１の実施の形態では、取付部材３０の短辺３０Ｃに、フレキシブル配線基板を通すための開口３６を設けるようにした場合について説明したが、開口３６に代えて切込みを設けることも可能である。その場合、短辺３０Ｃには、切込みだけを設けることも可能であるし、切込みの片側または両側に第２取付部３５を配置することも可能である。
【０１１３】
更に、例えば、上記実施の形態では、底面部３１の四辺に枠部３２を設ける場合について説明したが、枠部３２は、第１取付部３３または第２取付部３４，３５が配置されている辺のみに設けることも可能である（変形例１の図３１参照。）
【０１１４】
加えて、例えば、上記実施の形態において、例えば凹部４５にシーラント剤（図示せず）を封入することにより防水仕様とすることも可能である。
【０１１５】
更にまた、例えば、上記実施の形態では、表示ユニット１０および取付部材３０が矩形である場合について説明したが、表示ユニット１０および取付部材３０は矩形に限らず、六角形などの多角形や円形であることも可能である。
【０１１６】
加えてまた、例えば、上記実施の形態では、表示ユニット１０が液晶または有機ＥＬにより構成されている場合について説明したが、表示ユニット１０は、液晶または有機ＥＬのほか、プラズマ，無機ＥＬ，エレクトロデポジションもしくエレクトロクロミックなどの他の表示素子を用いたものであってもよい。
【０１１７】
更にまた、例えば、上記実施の形態では、撮像装置１の例としてデジタルスチルカメラについて説明したが、本開示は、デジタル一眼レフカメラ，ビデオカメラなどの他の撮像装置にも適用可能である。例えばビデオカメラでは、取付部材３０を用いてキャビネット２Ｃへの組み付けを標準化し、あらゆる製品に広く適用可能である。また、デジタル一眼レフカメラでは、狭額縁化により、広いグリップ部を確保しつつ大画面化が可能となるので、グリップしやすく、かつモニタ画面を見やすくすることが可能となる。
【０１１８】
加えてまた、本開示の表示装置７は、撮像装置１の表示用モニタとしての用途に限られず、例えば、ＰＣ，タブレット，スマートフォンなどへの適用が可能である。特に、急速な狭額縁化が進むスマートフォンには極めて好適である。そのほか、テレビジョン受像機，壁掛けモニタ装置，携帯電話，電話機，ファクシミリ機，カーナビゲーション装置，ゲーム機，デジタルフォトフレーム，電光掲示板などの他の表示装置への適用も可能である。
【０１１９】
なお、本技術は以下のような構成を取ることも可能である。
（１）
表示ユニットと、前記表示ユニットを収容する保持部材と、前記表示ユニットと前記保持部材との間に設けられた取付部材とを有し、
前記取付部材は、
前記表示ユニットの側面に対向する枠部と、
前記枠部に設けられ、前記保持部材に固定される第１取付部と、
前記枠部に設けられ、弾性により前記枠部と前記保持部材との間に保持される第２取付部と
を備えた表示装置。
（２）
前記枠部は、前記表示ユニットの側面を囲む窓枠形状を有する
前記（１）記載の表示装置。
（３）
前記取付部材は、一方向に長い矩形の平面形状を有し、
前記第１取付部は、前記取付部材の長辺に設けられている
前記（１）または（２）記載の表示装置。
（４）
前記第２取付部は、前記取付部材の対向する二辺に設けられている
前記（１）ないし（３）のいずれか１項に記載の表示装置。
（５）
前記保持部材は、前記第１取付部および前記第２取付部を受容する凹部を有する
前記（１）ないし（４）のいずれか１項に記載の表示装置。
（６）
前記第１取付部は、前記枠部の幅方向一端から外方に張り出す爪であり、
前記凹部は、前記爪を当接させる当接部を有する
前記（５）記載の表示装置。
（７）
前記凹部は、前記枠部の幅方向他端を受ける座部を有する
前記（６）記載の表示装置。
（８）
前記枠部は、前記第１取付部と前記当接部とが接触すると共に、前記枠部の幅方向他端と前記座部とが接触することにより、前記凹部に嵌合する
前記（７）記載の表示装置。
（９）
前記第２取付部は、前記枠部の一部を外方に傾斜または湾曲させた板ばねであり、
前記凹部は、前記板ばねを掛止させる掛止部を有する
前記（５）ないし（８）のいずれか１項に記載の表示装置。
（１０）
前記取付部材は、一方向に長い矩形の平面形状を有し、
前記第１取付部は、前記取付部材の短辺に設けられている
前記（１），（２），（４）ないし（９）のいずれか１項に記載の表示装置。
（１１）
前記取付部材は、前記枠部と、前記表示ユニットの裏面を覆う底面部とを有し、
前記底面部には、前記表示ユニットの裏面が貼着されている
前記（１）ないし（１０）のいずれか１項に記載の表示装置。
（１２）
前記取付部材は、フレキシブル配線基板を通す開口を有する
前記（１１）記載の表示装置。
（１３）
前記表示ユニットは、表示体と、前記表示体の画像表示面側に設けられた前面板とを有し、
前記保持部材は、前記前面板の端部を受ける段部を有する
前記（１）ないし（１２）のいずれか１項に記載の表示装置。
（１４）
撮像光学系および撮像素子と、前記撮像光学系により結像された被写体像または前記撮像素子により撮像された画像を表示する表示装置とを備え、
前記表示装置は、表示ユニットと、前記表示ユニットを収容する保持部材と、前記表示ユニットと前記保持部材との間に設けられた取付部材とを有し、
前記取付部材は、
前記表示ユニットの側面に対向する枠部と、
前記枠部に設けられ、前記保持部材に固定される第１取付部と、
前記枠部に設けられ、弾性により前記枠部と前記保持部材との間に保持される第２取付部と
を備えた撮像装置。
【符号の説明】
【０１２０】
１…撮像装置、２…本体部、２Ｃ…キャビネット、３…開閉パネル、４…操作部、５…フラッシュ、６…撮影レンズ、７…表示装置、１０…表示ユニット、１１…前面板、１１Ａ…透明部、１１Ｂ…不透光部、１２…タッチパネル、１３，１５…接着層、１４…表示体、３０…取付部材、３０Ａ，３０Ｃ…短辺、３０Ｂ，３０Ｄ…長辺、３１…底面部、３２…枠部、３２Ａ…上端、３２Ｂ…下端、３３…第１取付部、３４，３５…第２取付部、３６…開口、４１…底面部、４２…側面部、４３…フランジ、４４…段部、４５…凹部、４５Ａ…当接部、４５Ｃ…座部、４５Ｄ…掛止部。
【図１】
2014006345.tif 000003
【図２】
2014006345.tif 000004
【図３】
2014006345.tif 000005
【図４】
2014006345.tif 000006
【図５】
2014006345.tif 000007
【図６】
2014006345.tif 000008
【図７】
2014006345.tif 000009
【図８】
2014006345.tif 000010
【図９】
2014006345.tif 000011
【図１０】
2014006345.tif 000012
【図１１】
2014006345.tif 000013
【図１２】
2014006345.tif 000014
【図１３】
2014006345.tif 000015
【図１４】
2014006345.tif 000016
【図１５】
2014006345.tif 000017
【図１６】
2014006345.tif 000018
【図１７】
2014006345.tif 000019
【図１８】
2014006345.tif 000020
【図１９】
2014006345.tif 000021
【図２０】
2014006345.tif 000022
【図２１】
2014006345.tif 000023
【図２２】
2014006345.tif 000024
【図２３】
2014006345.tif 000025
【図２４】
2014006345.tif 000026
【図２５】
2014006345.tif 000027
【図２６】
2014006345.tif 000028
【図２７】
2014006345.tif 000029
【図２８】
2014006345.tif 000030
【図２９】
2014006345.tif 000031
【図３０】
2014006345.tif 000032
【図３１】
2014006345.tif 000033
【図３２】
2014006345.tif 000034